(57)【要約】【課題】ホルダのホームポジションへの移動を検出可能な光ピックアップ装置を提供する。【解決手段】レーザダイオードから出射されたレーザ光を光ディスクの信号記録面に案内する光学部品と、前記光学部品を保持するホルダと、前記ホルダを移動可能に支持する支持部材と、前記ホルダの移動を停止させるように、前記ホルダと当接するストッパと、駆動モータによって回転されるリードスクリュと、前記リードスクリュの回転力に基づいて前記ホルダが移動するように前記リードスクリュの螺子溝に対向して圧接される圧接片を有し、前記ホルダに固定される線材と、前記ホルダが前記ストッパに当接したときに、前記ホルダが移動する方向への前記線材の変形を規制するように前記圧接片の両側と当接する壁体と、を備える。【選択図】図２３
2014059935.tif 000002
【特許請求の範囲】
【請求項１】
レーザダイオードから出射されたレーザ光を光ディスクの信号記録面に案内する光学部品と、
前記光学部品を保持するホルダと、
前記ホルダを移動可能に支持する支持部材と、
前記ホルダの移動を停止させるように、前記ホルダと当接するストッパと、
駆動モータによって回転されるリードスクリュと、
前記リードスクリュの回転力に基づいて前記ホルダが移動するように前記リードスクリュの螺子溝に対向して圧接される圧接片を有し、前記ホルダに固定される線材と、
前記ホルダが前記ストッパに当接したときに、前記ホルダが移動する方向への前記線材の変形を規制するように前記圧接片の両側と当接する壁体と、
を備えることを特徴とする光ピックアップ装置。
【請求項２】
前記ホルダは、
前記ホルダ側から前記リードスクリュ側に向かって延在する保持部材、を有し、
前記線材は、
前記ホルダ側から前記リードスクリュ側に向かう弾性力が前記圧接片に付与されるように、前記保持部材の外周面に巻回されるバネ部材、であり、
前記壁体は、
前記リードスクリュの外形の一部を前記リードスクリュと交差する方向の両側から覆うように、前記保持部材の先端に一対設けられる
ことを特徴とする請求項１に記載の光ピックアップ装置。
【請求項３】
前記圧接片は、
前記ホルダ側から前記リードスクリュ側に向かって延在する第１辺と、
前記螺子溝と対向するように前記第１辺から曲がり、前記螺子溝に圧接される第２辺と、
前記第１辺と対向するように前記第２辺から曲がり、前記リードスクリュ側から前記ホルダ側に向かって延在する第３辺と、を有する
ことを特徴とする請求項２に記載の光ピックアップ装置。
【請求項４】
前記保持部材は、
第１保持部と、
前記第１保持部との間に隙間が形成されるように、前記ホルダが移動する方向において前記第１保持部と対向する第２保持部と、を有し、
前記線材は、
一端が前記隙間に配設され、前記第１保持部及び前記第２保持部に共に巻回され、再度前記隙間に配設された後、前記螺子溝と対向するように前記第２辺の一部を露出させる形状を呈し、  
前記圧接片は、
前記ホルダが前記ストッパに当接したときに、前記第２辺の両端が前記第２保持部の前記壁体に当接し、且つ、前記第１辺及び前記第３辺における前記ホルダ側の端部が前記第１保持部の対向面に当接するように配置される
ことを特徴とする請求項３に記載の光ピックアップ装置。
【請求項５】
前記光学部品は、コリメートレンズである
ことを特徴とする請求項１乃至４の何れかに記載の光ピックアップ装置。
【発明の詳細な説明】
【技術分野】
【０００１】
本発明は、光ピックアップ装置に関する。
【背景技術】
【０００２】
例えば、コリメートレンズと、当該コリメートレンズを保持するレンズホルダと、当該レンズホルダを移動させる移動装置とを含んで構成される光ピックアップ装置が知られている（特許文献１）。
【先行技術文献】
【特許文献】
【０００３】
【特許文献１】特開２００９−３７６７１号公報
【発明の概要】
【発明が解決しようとする課題】
【０００４】
特許文献１の光ピックアップ装置は、移動装置として、例えば、駆動モータによって回転されるリードスクリュと、レンズホルダに固定され、当該リードスクリュの回転力に基づいてレンズホルダが移動するようにリードスクリュの螺子溝に圧接される線材とを有している。この光ピックアップ装置は、更に、例えば、レンズホルダの移動をホームポジションで停止させるための、当該レンズホルダと当接するストッパを有している。そして、リードスクリュの回転の停止の検出に基づいて、レンズホルダのホームポジションへの移動が検出されることがある。しかし、レンズホルダとストッパとが当接したときに、螺子溝に圧接されている線材の一部が、当該螺子溝から外れて、リードスクリュが回転し続けることがある。このため、レンズホルダがホームポジションへ移動したにも関わらず、当該レンズホルダのホームポジションへの移動を検出できない虞がある。
【課題を解決するための手段】
【０００５】
前述した課題を解決する主たる本発明は、レーザダイオードから出射されたレーザ光を光ディスクの信号記録面に案内する光学部品と、前記光学部品を保持するホルダと、前記ホルダを移動可能に支持する支持部材と、前記ホルダの移動を停止させるように、前記ホルダと当接するストッパと、駆動モータによって回転されるリードスクリュと、前記リードスクリュの回転力に基づいて前記ホルダが移動するように前記リードスクリュの螺子溝に対向して圧接される圧接片を有し、前記ホルダに固定される線材と、前記ホルダが前記ストッパに当接したときに、前記ホルダが移動する方向への前記線材の変形を規制するように前記圧接片の両側と当接する壁体と、を備えることを特徴とする光ピックアップ装置である。
【０００６】
本発明の他の特徴については、添付図面及び本明細書の記載により明らかとなる。
【発明の効果】
【０００７】
本発明によれば、ホルダのホームポジションへの移動を検出可能な光ピックアップ装置を提供できる。
【図面の簡単な説明】
【０００８】
【図１】本発明の第１実施形態に係る光ピックアップ装置の光学系の構成を示す図である。
【図２】本発明の第１実施形態に係る光ピックアップ装置の光学系の一部の構成を示す図である。
【図３】本発明の第１乃至第３実施形態における光ピックアップ装置を示す斜視図である。
【図４】本発明の第１実施形態における光ピックアップ装置の一部を示す断面図である。
【図５】本発明の第１実施形態における移動装置とコリメートレンズホルダとを示す斜視図である。
【図６】本発明の第１実施形態における移動装置とコリメートレンズホルダを示す平面図である。
【図７】本発明の第１実施形態における１／４波長板が取り付けられている側から見た状態のコリメートレンズホルダとスプリングとを示す分解斜視図である。
【図８】本発明の第１実施形態におけるコリメートレンズが取り付けられている側から見た状態のコリメートレンズホルダとスプリングとを示す分解斜視図である。
【図９】本発明の第１実施形態におけるスプリングとスプリング保持部材とを示す正面図である。
【図１０】本発明の第１実施形態におけるコリメートレンズホルダとスプリングとを示す側面図である。
【図１１】本発明の第１実施形態におけるスプリングが取り付けられた状態のコリメートレンズホルダを示す斜視図である。
【図１２】本発明の第１実施形態における移動装置の一部とコリメートレンズホルダの一部とを示す平面図である。
【図１３】本発明の第１実施形態におけるリードスクリュとスプリングとを示す平面図である。
【図１４】本発明の第１実施形態におけるリードスクリュの一部とスプリングの一部とを示す平面図である。
【図１５】本発明の第２実施形態におけるコリメートレンズホルダと移動装置とを示す平面図である。
【図１６】本発明の第２実施形態におけるコリメートレンズホルダと規制片とを示す分解斜視図である。
【図１７】本発明の第２実施形態における規制片及びスプリングが固定された状態のコリメートレンズホルダを示す斜視図である。
【図１８】本発明の第２実施形態におけるコリメートレンズホルダと移動装置とを示す断面図である。
【図１９】本発明の第２実施形態におけるコリメートレンズホルダの一部と移動装置の一部とを示す断面図である。
【図２０】本発明の第２実施形態におけるリードスクリュの一部とスプリングの一部と規制片とを示す平面図である。
【図２１】本発明の第３実施形態における移動装置の一部とコリメートレンズホルダの一部とを示す平面図である。
【図２２】本発明の第３実施形態におけるリードスクリュとスプリングとを示す平面図である。
【図２３】本発明の第３実施形態におけるコリメートレンズホルダがホームポジション側に移動するときのリードスクリュの一部とスプリングの一部とスプリング保持部材の一部とを示す平面図である。
【図２４】本発明の第３実施形態におけるコリメートレンズホルダがホームポジション側とは反対側に移動するときのリードスクリュの一部とスプリングの一部とスプリング保持部材の一部とを示す平面図である。
【発明を実施するための形態】
【０００９】
本明細書および添付図面の記載により、少なくとも以下の事項が明らかとなる。
【００１０】
[第１実施形態]
＝＝＝光ピックアップ装置の光学系＝＝＝
図１は、本実施形態に係る光ピックアップ装置の光学系の構成を示す図である。図２は、本実施形態に係る光ピックアップ装置の光学系の一部の構成を示す図である。
【００１１】
光ピックアップ装置１００は、回転する光ディスク５（図３）にレーザ光を照射し、光ディスク５で反射されるレーザ光の反射光を検出する装置である。光ピックアップ装置１００によって情報の記録又は再生が行われる光ディスク５は、例えばＢＤ（Ｂｌｕ―ｒａｙ  Ｄｉｓｃ）規格の光ディスク（以下、「第１光ディスク５Ａ」と称する）、ＤＶＤ（Ｄｉｇｉｔａｌ  Ｖｅｒｓａｔｉｌｅ  Ｄｉｓｃ）規格の光ディスク（以下、「第２光ディスク５Ｂ」と称する）、ＣＤ（Ｃｏｍｐａｃｔ  Ｄｉｓｃ）規格の光ディスク（以下、「第３光ディスク５Ｃ」と称する）等である。
【００１２】
光ピックアップ装置１００の光学系は、レーザ光源１１、回折格子１２、第１反射ミラー１３１、ビームスプリッタ１４（プレート型ビームスプリッタ）、第２反射ミラー１３２、１／４波長板１５、コリメートレンズ１６（光学部品）、第３反射ミラー１３３、立ち上げミラー１７、対物レンズ１７１（図２）、ホログラム光学素子１８１、アナモフィックレンズ１８２、光検出器１８３（以下、「光ピックアップ装置１００の光学部品等」とも称する）から構成される。
【００１３】
レーザ光源１１は、第１光ディスク５Ａに照射する青色波長帯（３９５ｎｍ〜４２０ｎｍ）のうち例えば４０５ｎｍの波長と、第２光ディスク５Ｂに照射する赤色波長帯（６４５ｎｍ〜６７５ｎｍ）のうち例えば６５５ｎｍの波長と、第３光ディスク５Ｃに照射する赤外波長帯（７６５ｎｍ〜８０５ｎｍ）のうち例えば７８５ｎｍの波長とのうち、何れかの波長のレーザ光を選択的に出射する。レーザ光源１１は、例えば４０５ｎｍの波長のレーザ光を出射する第１レーザダイオード１１１と、例えば６５５ｎｍの波長のレーザ光を出射する第２レーザダイオード１１２と、例えば７８５ｎｍの波長のレーザ光を出射する第３レーザダイオード１１３とを有する。
【００１４】
回折格子１２は、レーザ光源１１が出射したレーザ光から、０次光、＋１次回折光、−１次回折光を生成する。
【００１５】
第１反射ミラー１３１は、回折格子１２からのレーザ光をビームスプリッタ１４へ反射する。
【００１６】
ビームスプリッタ１４は、例えば、Ｓ偏光のレーザ光を透過し、Ｐ偏光のレーザ光を反射する。ビームスプリッタ１４は、回折格子１２から入射するＰ偏光のレーザ光を第２反射ミラー１３２へ反射する。尚、第１レーザダイオード１１１、第２レーザダイオード１１２、第３レーザダイオード１１３は、レーザ光として例えばビームスプリッタ１４のコーティング膜に対してＰ偏光のレーザ光を出射するものとする。又、１／４波長板１５から第２反射ミラー１３２を介して入射するレーザ光の反射光は、例えば、第１光ディスク５Ａ、第２光ディスク５Ｂ又は第３光ディスク５Ｃで反射してＳ偏光のレーザ光となっている。よって、ビームスプリッタ１４は、レーザ光の反射光をホログラム光学素子１８１の方向へ透過する。
【００１７】
第２反射ミラー１３２は、ビームスプリッタ１４からのレーザ光を１／４波長板１５へ反射する。
【００１８】
１／４波長板１５は、第２反射ミラー１３２から入射するレーザ光を、直線偏光光から円偏光光に変換する。又、１／４波長板１５は、コリメートレンズ１６から入射するレーザ光の反射光を、円偏光光から直線偏光光に変換する。
【００１９】
コリメートレンズ１６は、１／４波長板１５から入射するレーザ光を平行光に変換する。つまり、コリメートレンズ１６は、レーザ光源１１から出射されたレーザ光を第１光ディスク５Ａの信号記録面、第２光ディスク５Ｂの信号記録面又は第３光ディスク５Ｃの信号記録面に案内している。
【００２０】
第３反射ミラー１３３は、コリメートレンズ１６からのレーザ光を立ち上げミラー１７へ反射する。
【００２１】
立ち上げミラー１７は、コリメートレンズ１６から第３反射ミラー１３３を介して入射するレーザ光を、第１光ディスク５Ａ、第２光ディスク５Ｂ又は第３光ディスク５Ｃの信号記録面に垂直な方向に反射する。又、立ち上げミラー１７は、対物レンズ１７１から入射するレーザ光の反射光を、第３反射ミラー１３３の方向に反射する。
【００２２】
対物レンズ１７１は、立ち上げミラー１７から入射したレーザ光を、第１光ディスク５Ａ、第２光ディスク５Ｂ又は第３光ディスク５Ｃの信号記録面における信号記録層に集光する。
【００２３】
第１光ディスク５Ａ、第２光ディスク５Ｂ又は第３光ディスク５Ｃの信号記録層で反射したレーザ光の反射光は、対物レンズ１７１によって平行光に変換された後、立ち上げミラー１７、第３反射ミラー１３３、コリメートレンズ１６を介して１／４波長板１５に入射し、１／４波長板１５によって円偏光光から直線偏光光に変換される。直線偏光光となったレーザ光の反射光は、第２反射ミラー１３２及びビームスプリッタ１４を介してホログラム光学素子１８１に入射する。
【００２４】
ホログラム光学素子１８１は、例えば、第１光ディスク５Ａ又は第２光ディスク５Ｂにおけるレーザ光が集光された信号記録層以外の信号記録層からの反射光が光検出器１８３に入射しないように、レーザ光の反射光の光路を調整する。
【００２５】
アナモフィックレンズ１８２は、ホログラム光学素子１８１から入射したレーザ光の反射光を、光検出器１８３に集光させるとともに、レーザ光の反射光にフォーカスエラー信号を生成するのに用いられる非点収差を発生させる。尚、フォーカスエラー信号とは、例えば、対物レンズ１７１を保持する対物レンズホルダ（不図示）を対物レンズ１７１の光軸方向（図３のＺ軸）に変位させる際に用いられる信号である。
【００２６】
光検出器１８３は、アナモフィックレンズ１８２から入射されるレーザ光の反射光を光電変換する。つまり、光検出器１８３は、第１光ディスク５Ａ、第２光ディスク５Ｂ又は第３光ディスク５Ｃで反射されたレーザ光の反射光が照射され、当該照射されたレーザ光の反射光を光電変換する。
【００２７】
＝＝＝光ピックアップ装置＝＝＝
以下、図３を参照して、本実施形態における光ピックアップ装置について説明する。図３は、本実施形態における光ピックアップ装置を示す斜視図である。尚、光ディスク５を回転させるためのスピンドルモータ（不図示）の回転軸５０は、説明の便宜上、一点鎖線で示されている。又、光ディスク５は、説明の便宜上、一部が省略されている。更に、光ディスク５の一部は見えない状態となっているが、説明の便宜上、点線で示されている。
【００２８】
光ピックアップ装置１００は、ハウジング２、光ピックアップ装置１００の光学部品等、コリメートレンズホルダ７（ホルダ）、移動装置８を有する。尚、本実施形態において、Ｚ軸は、光ディスク５を回転させるスピンドルモータの回転軸５０の長手方向（フォーカス方向、垂直方向）に沿う軸であり、光ピックアップ装置１００から光ディスク５へ向かう方向を−Ｚ方向とし、光ディスク５から光ピックアップ装置１００へ向かう方向を＋Ｚ方向とする。尚、第１光ディスク５Ａ、第２光ディスク５Ｂ、第３光ディスク５Ｃのうち、スピンドルモータによって回転される光ディスクを、説明の便宜上、光ディスク５と称する。Ｘ軸は、光ディスク５の径方向（トラッキング方向、ラジアル方向）に光ピックアップ装置１００が移動する方向に沿う軸であり、光ピックアップ装置１００が回転軸５０から離れる方向を−Ｘ方向とし、光ピックアップ装置１００が回転軸５０に近づく方向を＋Ｘ方向とする。Ｙ軸は、光ディスク５のタンジェンシャル方向に沿う軸であり、ハウジング２の一方の側面２３から他方の側面２４に向かう方向を＋Ｙ方向とし、ハウジング２の他方の側面２４から一方の側面２３に向かう方向を−Ｙ方向とする。
【００２９】
コリメートレンズホルダ７は、コリメートレンズ１６を保持する。尚、コリメートレンズホルダ７については後述する。
【００３０】
移動装置８は、コリメートレンズホルダ７をコリメートレンズ１６の光軸（Ｘ軸）に沿って移動させる装置である。尚、移動装置８については後述する。
【００３１】
ハウジング２には、光ピックアップ装置１００の光学部品等、コリメートレンズホルダ７、移動装置８、メインシャフト７１（支持部材）、サブシャフト７２等が載置される。尚、ハウジング２については後述する。
【００３２】
＝＝＝ハウジング＝＝＝
以下、図３を参照して、本実施形態におけるハウジングについて説明する。
【００３３】
ハウジング２は、光ピックアップ装置１００の光学部品等、コリメートレンズホルダ７、移動装置８、メインシャフト７１、サブシャフト７２等が載置される例えば樹脂製のハウジングである。
【００３４】
ハウジング２における、トラッキング方向における回転軸５０に近い側（＋Ｘ）の端部２２は、例えば、スピンドルモータ（不図示）を回避するように所定の曲率をもって抉られた形状を呈する。
【００３５】
ハウジング２における、光ディスク５側（−Ｚ）とは反対側（＋Ｚ）には、コリメートレンズホルダ７及び移動装置８を取り付けるための取付凹部２５が設けられている。
【００３６】
＝＝＝取付凹部＝＝＝
以下、図３及び図４を参照して、本実施形態における取付凹部について説明する。図４は、本実施形態における光ピックアップ装置の一部を示す断面図である。図４では、図３におけるＺ１−Ｚ２断面から−Ｙ方向に向かってみた光ピックアップ装置の一部を示されている。図４では、説明の便宜上、ハウジング２の底板２１の一部、ストッパ２１１、２１２、メインシャフト７１の一部、コリメートレンズホルダ７のホルダ支持部材７４、スプリング保持部材６が示されている。
【００３７】
取付凹部２５（図３）は、コリメートレンズホルダ７及び移動装置８をハウジング２に取り付けるための窪みである。取付凹部２５における底板２１には、ストッパ２１１、２１２（図４）が設けられている。
【００３８】
ストッパ２１１、２１２は、コリメートレンズホルダ７の移動を規制するための突起である。尚、ストッパ２１１、２１２については後述する。
【００３９】
＝＝＝コリメートレンズホルダ、メインシャフト、サブシャフト＝＝＝
以下、図３、図５及び図６を参照して、本実施形態におけるコリメートレンズホルダ、メインシャフト及びサブシャフトについて説明する。図５は、本実施形態における移動装置とコリメートレンズホルダとを示す斜視図である。図６は、本実施形態における移動装置とコリメートレンズホルダを示す平面図である。尚、リードスクリュ８３の一部、駆動モータ８３３、軸受け８３２は見えない状態となっているが、説明の便宜上、点線で示されている。
【００４０】
コリメートレンズホルダ７は、コリメートレンズ１６を保持する例えば樹脂製のホルダである。コリメートレンズホルダ７は、例えば金型を用いて鋳造により一体的に成型されるものとする。コリメートレンズホルダ７は、レンズ保持部材７３、ホルダ支持部材７４、スプリング保持部材６（保持部材）を有する。
【００４１】
レンズ保持部材７３は、コリメートレンズ１６を保持するための例えば略矩形の薄板形状を呈する部材である。レンズ保持部材７３は、コリメートレンズ１６の光軸がトラッキング方向（Ｘ軸）に沿うようにコリメートレンズ１６を保持する。尚、コリメートレンズ１６の光軸とは、例えば、コリメートレンズ１６におけるレーザ光が透過する２面の曲率中心を結ぶ直線のことを示す。又、コリメートレン１６の光軸は、例えば、コリメートレンズ１６の中心を透過するレーザ光に沿っている直線のことを示すこととしてもよい。つまり、コリメートレンズ１６の光軸は、Ｘ軸に対して平行となっている。
【００４２】
更に、レンズ保持部材７３は、サブシャフト７２を支持する軸受７３１を有する。尚、サブシャフト７２については後述する。
【００４３】
ホルダ支持部材７４は、レンズ保持部材７３をタンジェンシャル方向に沿って移動可能に支持するための部材である。ホルダ支持部材７４は、例えば、トラッキング方向において延びた形状を呈する。ホルダ支持部材７４は、レンズ保持部材７３における軸受け７３１が設けられている側（−Ｙ）とは反対側（＋Ｙ）の端部に設けられる。ホルダ支持部材７４は、貫通孔７４２、溝７４４、挿通孔７４１、挿通孔７４３（図７）を有する。
【００４４】
貫通孔７４２は、例えば、コリメートレンズホルダ７を軽量化するための、フォーカス方向（Ｚ軸）において貫通した孔である。挿通孔７４１、７４３は、メインシャフト７１が挿通される孔である。溝７４４は、スプリング８５（線材、バネ部材）（図８）の製造誤差を考慮して形成される窪みである。尚、溝７４４、スプリング８５については後述する。
【００４５】
スプリング保持部材６は、コリメートレンズホルダ７を移動させるためのスプリング８５を保持する部材である。スプリング保持部材６は、ホルダ支持部材７４におけるレンズ保持部材７３側（−Ｙ）とは反対側（＋Ｙ）に向かって突出した形状を呈する。尚、スプリング保持部材６については後述する。
【００４６】
メインシャフト７１は、コリメートレンズホルダ７をコリメートレンズ１６の光軸方向（Ｘ軸）に移動可能に支持する棒部材である。メインシャフト７１は、コリメートレンズ１６の光軸に沿った状態で挿通孔７４１、７４３に挿通される。メインシャフト７１における一方の端部（＋Ｘ）及び他方の端部（−Ｘ）は夫々、ハウジング２に設けられている軸受け２１２（図３）、軸受け２１１に対して例えば接着剤で固定される。
【００４７】
サブシャフト７２は、メインシャフト７１とともに、コリメートレンズホルダ７をコリメートレンズ１６の光軸方向に移動可能に支持する棒部材である。サブシャフト７２にはレンズ保持部材７３の軸受け７３１が取り付けられる。サブシャフト７２における一方の端部（＋Ｘ）及び他方の端部（−Ｘ）は夫々、ハウジング２に設けられている軸受け２２２、軸受け２２１に対して例えば接着剤で固定される。尚、サブシャフト７２及びメインシャフト７１は、コリメートレンズホルダ７がＸ軸に沿って移動できるように、互いに平行になるように固定されているものとする。
【００４８】
＝＝＝ストッパ＝＝＝
以下、図３及び図４を参照して、本実施形態におけるストッパについて説明する。
【００４９】
ストッパ２１１、２１２（図４）は、コリメートレンズホルダ７の移動を規制するための突起である。
【００５０】
ストッパ２１２は、コリメートレンズホルダ７が一方側（＋Ｘ）から他方側（−Ｘ）に移動するのを規制する。ストッパ２１２は、コリメートレンズホルダ７が一方側から他方側に向かって移動したときにホルダ支持部材７４におけるストッパ２１２側の端部（−Ｘ）が当接するように、フォーカス方向（Ｚ軸）におけるメインシャフト７１の下側（−Ｚ）に設けられる。ストッパ２１２は、フォーカス方向における上側（＋Ｚ）に向かって底板２１１から突出している。ストッパ２１２は、トラッキング方向（Ｘ軸）におけるストッパ２１１とストッパ２１２との間にホルダ支持部材７４が設けられるように、例えばメインシャフト７１の略中央よりも回転軸５０側（＋Ｘ）とは反対側（−Ｘ）に設けられる。
【００５１】
ストッパ２１１は、コリメートレンズホルダ７が他方側から一方側に移動するのを規制する。ストッパ２１１は、コリメートレンズホルダ７が他方側から一方側に向かって移動したときにホルダ支持部材７４におけるストッパ２１１側の端部（＋Ｘ）が当接するように、フォーカス方向におけるメインシャフト７１の下側に設けられる。ストッパ２１１は、フォーカス方向における上側に向かって底板２１１から突出している。ストッパ２１１は、トラッキング方向におけるストッパ２１１とストッパ２１２との間にホルダ支持部材７４が設けられるように、例えばメインシャフト７１の略中央よりも回転軸５０側に設けられる。
【００５２】
又、トラッキング方向（Ｘ軸）におけるストッパ２１１とストッパ２１２との間の距離Ｄ１は、コリメートレンズ１６の光軸（Ｘ軸）に沿ってコリメートレンズ１６を移動させる距離に応じて定められる。距離Ｄ１は、光ディスク５の信号記録面に対してレーザ光を確実に集光できるようにコリメートレンズ１６を移動可能とする距離に設定される。
【００５３】
尚、ホルダ支持部材７４がストッパ２１１に当接したときのコリメートレンズ１６の位置が、ホームポジションである。ホームポジションとは、コリメートレンズ１６の光軸に沿ってコリメートレンズ１６を移動させる際の基準となる位置である。
【００５４】
＝＝＝移動装置＝＝＝
以下、図３、図５及び図６を参照して、本実施形態における移動装置について説明する。  移動装置８は、コリメートレンズホルダ７をコリメートレンズ１６の光軸（Ｘ軸）に沿って移動させる装置である。移動装置８は、ケース８１、モータフレーム８２、リードスクリュ８３、駆動モータ８３３（図６）、スプリング８５を有する。
【００５５】
ケース８１は、リードスクリュ８３の一部及び駆動モータ８３３を収容する例えば金属製の略円柱形状を呈するケースである。ケース８１は、リードスクリュ８３の一部及び駆動モータ８３３を内部に収容できるように中空構造を呈する。
【００５６】
更に、ケース８１内には、リードスクリュ８３の一端（＋Ｘ）を軸支する軸受け８３２（図６）が設けられている。
【００５７】
更に、ケース８１には、端子８１１乃至８１４（図５）が設けられている。端子８１１乃至８１４は、例えば、リードスクリュ８３をＡ１方向又はＡ２方向に回転させるパルス信号を駆動モータ８３３に供給するための端子である。
【００５８】
モータフレーム８２は、ハウジング２に対して移動装置８を位置決めするための例えば金属製のフレームである。モータフレーム８２は、例えばトラッキング方向（Ｘ軸）に沿って延在している１枚の金属板を折り曲げ加工して一体的に形成される。
【００５９】
モータフレーム８２の一方側の端部（＋Ｘ）は、ケース８１に対してモータフレーム８２を固定できるように上側（＋Ｚ）に向かって折り曲げられている。モータフレーム８２の一方側の端部は、ケース８１における他方側（−Ｘ）の端部に対して、例えば接着剤等で固定される。
【００６０】
モータフレーム８２の他方側の端部（−Ｘ）は、リードスクリュ８３の他端（−Ｘ）を軸支できるように上側に向かって折り曲げられている。モータフレーム８２の他方側の端部には、リードスクリュ８３の他端を軸支するための軸受け８３１が設けられている。
【００６１】
リードスクリュ８３は、駆動モータ８３３によって回転される長尺形状を呈する金属製の棒部材である。リードスクリュ８３は、トラッキング方向（Ｘ軸）に沿って延在している。リードスクリュ８３の外周面には、螺旋状の螺子溝８３Ａが形成されている。尚、螺子溝８３Ａについては後述する。リードスクリュ８３は、Ａ１方向（図５）またはＡ２方向に回転するように、リードスクリュ８３一端及び他端が夫々、軸受８３２及び軸受８３１に軸支される。
【００６２】
スプリング８５は、リードスクリュ８３の回転力をリードスクリュ８３に沿った方向（Ｘ軸）の力に変換して、当該変換された力をコリメートレンズホルダ７に伝達する例えば金属製の線材である。スプリング８５は、スプリング保持部材６に保持される。スプリング８５の圧接部８５５（図７）は、リードスクリュ８３の回転力に基づいてコリメートレンズホルダ７がトラッキング方向に移動するように、リードスクリュ８３の螺子溝８３Ａに圧接される。そして、スプリング８５は、リードスクリュ８３の回転力に基づいて、コリメートレンズホルダ７をトラッキング方向に移動させる力をスプリング保持部材６に伝達する。尚、スプリング８５については後述する。
【００６３】
駆動モータ８３３（図６）は、端子８１１乃至８１４を介して入力されたパルス信号に基づいて、リードスクリュ８３を回転させるための例えばステッピングモータである。モータ８３３は、リードスクリュ８３がＡ１方向に回転する回転力、又は、リードスクリュ８３がＡ２方向に回転する回転力を、リードスクリュ８３の一端（＋Ｘ）に伝達するものとする。尚、例えば、リードスクリュ８３が回転しているか否かは、駆動モータ８３３を制御するためのモータドライバ（不図示）等によって、検出されることとする。尚、例えば、モータドライバは、駆動モータ８３３における回転子（不図示）の回転に応じて発生する逆起電圧に基づいて、リードスクリュ８３が回転しているか否かを検出することとしてもよい。
【００６４】
＝＝＝スプリング＝＝＝
以下、図７及び図８を参照して、本実施形態におけるスプリングについて説明する。図７は、本実施形態における１／４波長板が取り付けられている側から見た状態のコリメートレンズホルダとスプリングとを示す分解斜視図である。図８は、本実施形態におけるコリメートレンズが取り付けられている側から見た状態のコリメートレンズホルダとスプリングとを示す分解斜視図である。
【００６５】
スプリング８５は、リードスクリュ８３（図５）の回転力をリードスクリュ８３に沿った方向（Ｘ軸）の力に変換して、当該変換された力をコリメートレンズホルダ７に伝達するための例えば圧縮コイルばねである。スプリング８５は、例えば１本の金属製の線材を曲げて形成される。スプリング８５は、圧接部８５５に対して例えばタンジェンシャル方向（Ｙ軸）の弾性力が付与される形状を呈する。スプリング８５は、スプリング保持部材６に固定されている。尚、当該１本の金属製の線材を、スプリング８５用の線材とも称することとする。スプリング８５は、直線部８５１、８５３、巻回部８５２、支持部８５４（第１辺）、支持部８５６（第３辺）、圧接部８５５（第２辺）を有する。尚、支持部８５４、８５６、圧接部８５５が圧接片に相当する。
【００６６】
直線部８５１は、スプリング保持部材６における一方の保持部材６１（第２保持部）と他方の保持部材６２（第１保持部）との間の隙間６５に挿入されてスプリング８５の回転を防止するための、スプリング８５の一部である。尚、スプリング８５の回転とは、例えば、スプリング８５の略中央を通り、且つ、スプリング保持部材６が突出する方向（Ｙ軸）に沿った回転軸を中心にスプリング８５が回転することを示すものとする。直線部８５１は、フォーカス方向（Ｚ軸）に沿って延びている。
【００６７】
巻回部８５２は、スプリング保持部材６における一方の保持部材６１と他方の保持部材６２との双方に対して巻回される、スプリング８５の一部である。巻回部８５２は、一方の保持部材６１の外周面６１４（図８)及び他方の保持部材６２の外周面６２４（図７)に沿って巻回されるような形状を呈する。巻回部８５２は、他方の保持部材６２の外周面６２４に沿うように、直線部８５１の上側の端部（＋Ｚ）から−Ｘ側に向かって曲げられた後、外周面６２４及び外周面６１４に沿って巻回されるような形状を呈する。巻回部８５２は、スプリング保持部材６が突出する方向において、ホルダ支持部材７４から離れる方向に向かって螺旋状に巻回される。巻回部８５２は、スプリング保持部材６の外周面に沿って例えば４周半巻回される。尚、スプリング保持部材６に巻回される巻回部８５２の曲率は、直線部８５１から巻回部８５２に連続する曲げ部８５７の曲率よりも小さくなっている。つまり、曲げ部８５７の曲がり具合は、巻回部８５２の曲がり具合よりもきつくなっている。
【００６８】
直線部８５３は、直線部８５１と共に、一方の保持部材６１と他方の保持部材６２との間の隙間６５に挿入されてスプリング８５の回転を防止するための、スプリング８５の一部である。直線部８５３は、フォーカス方向に沿って延びている。直線部８５１は、巻回部８５２の手前側の端部（＋Ｙ）から上側に向かって延びている。尚、巻回部８５２から直線部８５３に連続する曲げ部８５８の曲率は、例えば、曲げ部８５７の曲率と略同一とされている。尚、例えば、曲げ部８５８の曲率が、曲げ部８５７の曲率と略同一でないこととしてもよい。
【００６９】
支持部８５４は、例えば巻回部８５２よりも手前側に圧接部８５５が突出するように圧接部８５５を支持する、スプリング８５の一部である。支持部８５４は、圧接部８５５がリードスクリュ８３の螺子溝８３Ａと対向するように圧接部８５５を支持する。支持部８５４は、直線部８５３の上側の端部から、スプリング保持部材６が突出する方向において手前側（＋Ｙ）に向かって曲げられた形状を呈する。支持部８５４は、ホルダ支持部材７４側（−Ｙ）からリードスクリュ側（＋Ｙ）に向かって延在している。更に、支持部８５４は、例えば支持部８５４とリードスクリュ８３とを上側から下側（−Ｚ）へ向かって見たときにリードスクリュ８３に対して支持部８５４が直角とならないように斜めに傾けられた形状を呈する。尚、支持部８５４における斜めに傾けられた形状については後述する。
【００７０】
圧接部８５５は、リードスクリュ８３における螺子溝８６Ｂ（図１４）内の傾斜面８３Ｄ、８３Ｅに圧接される、スプリング８５の一部である。圧接部８５５は、螺子溝８６Ｂと対向するように、支持部８５４の手前側の端部から下側に向かって曲げられた形状を呈する。圧接部８５５は、例えば、フォーカス方向に沿って延びている。圧接部８５５は、例えば、タンジェンシャル方向における直線部８５１、８５３、巻回部８５２及び支持部８５４からの弾性力に基づいて、螺子溝８６Ｂ内の傾斜面８３Ｄ、８３Ｅに圧接される。圧接部８５５には、リードスクリュ８３が回転したときにコリメートレンズ１６の光軸に沿った方向（Ｘ軸）の力が伝達される。尚、圧接部８５５に対して伝達される力については後述する。尚、圧接部８５５の長さＤ４（図７）は、圧接部８５５の上側の端部と、下側の端部とが夫々、一方の突出部６１１、６１２（壁体）と対向する長さに設定される。更に、圧接部８５５の長さＤ４は、圧接部８５５の上側の端部と、下側の端部とが夫々、他方の突出部６２１、６２２と対向する長さに設定される。尚、圧接部８５５の上側の端部及び圧接片８５５の下側の端部が、圧接片の両側に相当する。
【００７１】
支持部８５６は、リードスクリュ８３から伝達される力に基づいて、例えばコリメートレンズホルダ７が移動する方向に圧接部８５５が変形するのを規制するための、スプリング８５の一部である。尚、コリメートレンズホルダ７が移動する方向に圧接部８５５が変形するとは、例えば、リードスクリュ８３から伝達される力に基づいて、圧接部８５５の上側の端部を支持している支持部８５４を中心に圧接部８５５回動したり、圧接部８５５の一部が折れ曲がったりすることを示すものとする。支持部８５６は、圧接部８５５の下側の端部から、支持部８５４と対向するようにホルダ支持部材７４側（−Ｙ）に向かって曲げられた形状を呈する。支持部８５６は、リードスクリュ８３側からホルダ保持部材７４側に向かって延在している。よって、例えば、スプリング８５の支持部８５４、圧接部８５５、支持部８５６は、略コ字形状に曲げられた形状を呈することとなる。
【００７２】
＝＝＝スプリング保持部材＝＝＝
以下、図７乃至図１０を参照して、本実施形態におけるスプリング保持部材について説明する。図９は、本実施形態におけるスプリングとスプリング保持部材とを示す正面図である。図１０は、本実施形態におけるコリメートレンズホルダとスプリングとを示す側面図である。
【００７３】
スプリング保持部材６は、スプリング８５を保持する部材である。スプリング保持部材６は、コリメートレンズホルダ７と例えば一体的に形成される。尚、スプリング保持部材６は、コリメートレンズホルダ７に対して例えば接着剤等で接着されることとしてもよい。つまり、スプリング保持部材６は、コリメートレンズホルダ７に対して固定されている。スプリング保持部材６は、ホルダ支持部材７４におけるレンズ保持部材７３側（−Ｙ）とは反対側（＋Ｙ）に向かって突出した形状を呈する。つまり、スプリング保持部材６は、ホルダ支持部材７４側（＋Ｙ）からリードスクリュ８３側（図６）（−Ｙ）に向かって延在している。スプリング保持部材６は、タンジェンシャル方向（Ｙ軸）に沿って延びた円柱を、当該円柱の略中心軸を通り且つＹＺ平面に平行な平面で半割したような形状を呈する。スプリング保持部材６におけるホルダ支持部材７４から遠い側の端部（＋Ｙ）は、リードスクリュ８３と接触しないようにリードスクリュ８３の外形を避けるように抉られた形状を呈する。スプリング保持部材６は、一方の保持部材６１、他方の保持部材６２を有する。
【００７４】
＜一方の保持部材＞
一方の保持部材６１は、メインシャフト７１（図４）に沿った方向（Ｘ軸）におけるストッパ２１１側（＋Ｘ）の、スプリング保持部材６の一部を形成する。一方の保持部材６１は、Ｘ軸方向において他方の保持部材６２と対向するように、他方の保持部材６２よりもストッパ２１１（図４）側（＋Ｘ）に設けられる。
【００７５】
一方の保持部材６１は、一方の対向面６１Ａ、６１Ｂ（図７）、一方の突出部６１１、６１２、外周面６１４、爪６１３を有する。
【００７６】
一方の突出部６１１は、例えばコリメートレンズホルダ７が移動する方向に圧接部８５５が変形するのを規制するために、一方の突出部６１２とともに対となってスプリング８５を支持する、一方の保持部材６１の一部である。更に、一方の突出部６１１は、圧接部８５５の一方の対向面６１Ａ、６１Ｂ側への変形も規制する。尚、圧接部８５５の一方の対向面６１Ａ、６１Ｂ側への変形とは、例えば、リードスクリュ８３からの力に基づいて、直線部８５３に対して圧接部８５５が一方の対向面６１Ａ、６１Ｂ側（＋Ｘ）へ移動するようにスプリング８５が変形することを示すこととする。一方の突出部６１１は、一方の保持部材６１の手前側（＋Ｙ）の端部から、タンジェンシャル方向においてホルダ支持部材７４から離れる方向（＋Ｙ）へ突出している。一方の突出部６１１は、リードスクリュ８３の外形の周囲の一部をフォーカス方向（Ｚ軸）における上側（＋Ｚ）から覆うように、一方の保持部材６１の上部（＋Ｚ）に設けられる。尚、一方の突出部６１１は、リードスクリュ８３の外形に接触しないように、リードスクリュ８３の外形を避けるように一部６１１Ａ（図７）が傾斜している。
【００７７】
一方の突出部６１２は、例えばコリメートレンズホルダ７が移動する方向に圧接部８５５が変形するのを規制するために、一方の突出部６１１とともに対となってスプリング８５を支持する、一方の保持部材６１の一部である。更に、一方の突出部６１２は、圧接部８５５の一方の対向面６１Ａ、６１Ｂ側への変形も規制する。一方の突出部６１２は、一方の保持部材６１の手前側の端部から、タンジェンシャル方向においてホルダ支持部材７４から離れる方向へ突出している。一方の突出部６１２は、リードスクリュ８３の外形の周囲の一部をフォーカス方向における下側（−Ｚ）から覆うように、一方の保持部材６１の下部（−Ｚ）に設けられる。尚、一方の突出部６１２は、リードスクリュ８３の外形に接触しないように、リードスクリュ８３の外形を避けるように一部６１２Ａ（図７）が傾斜している。
【００７８】
一方の対向面６１Ａ、６１Ｂは夫々、他方の保持部材６２における他方の対向面６２Ａ、６２Ｂと対向する面である。一方の対向面６１Ａは、Ｘ軸方向において、スプリング８５の圧接部８５５の上側（＋Ｚ）の端部及び支持部８５４と対向している。一方の対向面６１Ｂは、Ｘ軸方向において、スプリング８５の圧接部８５５の下側（−Ｚ）の端部及び支持部８５６と対向している。従って、例えば、圧接部８５５の一方の対向面６１Ａ、６１Ｂ側への変形は、圧接部８５５の上側の端部及び下側の端部が夫々、当該一方の対向面６１Ａ、６１Ｂに当接することによって規制されることとなる。
【００７９】
外周面６１４は、スプリング８５の巻回部８５２が沿うような形状を呈する。
【００８０】
爪６１３は、スプリング保持部材６に保持されているスプリング８５がスプリング保持部材６から外れるのを規制するための部材である。爪６１３は、外周面６１４の一部に設けられる。爪６１３は、一方の保持部材６１の手前側（＋Ｙ）の縁に設けられる。爪６１３は、フォーカス方向における略中央に設けられる。
【００８１】
＜他方の保持部材＞
他方の保持部材６２は、メインシャフト７１（図４）に沿った方向（Ｘ軸）におけるストッパ２１１側（＋Ｘ）とは反対側（−Ｘ）の、スプリング保持部材６の一部を形成する。他方の保持部材６２は、Ｘ軸方向において一方の保持部材６１と対向するように設けられる。
【００８２】
他方の保持部材６２は、他方の対向面６２Ａ、６２Ｂ（図７）、他方の突出部６２１、６２２、外周面６２４、爪６２３、面取り部６２５、６２６（図９）を有する。
【００８３】
他方の突出部６２１は、例えばコリメートレンズホルダ７が移動する方向に圧接部８５５が変形するのを規制するために、他方の突出部６２２とともに対となってスプリング８５を支持する、他方の保持部材６２の一部である。更に、他方の突出部６２１は、圧接部８５５の他方の対向面６２Ａ、６２Ｂ側への変形も規制する。尚、圧接部８５５の他方の対向面６２Ａ、６２Ｂ側への変形とは、例えば、リードスクリュ８３からの力に基づいて、直線部８５３に対して圧接部８５５が他方の対向面６２Ａ、６２Ｂ側（−Ｘ）へ移動するようにスプリング８５が変形することを示すこととする。他方の突出部６２１は、他方の保持部材６２の手前側（＋Ｙ）の端部から、タンジェンシャル方向においてホルダ支持部材７４から離れる方向（＋Ｙ）へ突出している。他方の突出部６２１は、リードスクリュ８３の外形の周囲の一部をフォーカス方向（Ｚ軸）における上側（＋Ｚ）から覆うように、他方の保持部材６２の上部（＋Ｚ）に設けられる。尚、他方の突出部６２１は、リードスクリュ８３の外形に接触しないように、リードスクリュ８３の外形を避けるように一部６２１Ａ（図７）が傾斜している。
【００８４】
他方の突出部６２２は、例えばコリメートレンズホルダ７が移動する方向に圧接部８５５が変形するのを規制するために、他方の突出部６２１とともに対となってスプリング８５を支持する、他方の保持部材６２の一部である。更に、他方の突出部６２２は、圧接部８５５の他方の対向面６２Ａ、６２Ｂ側への変形も規制する。他方の突出部６２２は、他方の保持部材６２の手前側の端部から、タンジェンシャル方向においてホルダ支持部材７４から離れる方向へ突出している。他方の突出部６２２は、リードスクリュ８３の外形の周囲の一部をフォーカス方向における下側（−Ｚ）から覆うように、他方の保持部材６２の下部（−Ｚ）に設けられる。尚、他方の突出部６２２は、リードスクリュ８３の外形に接触しないように、リードスクリュ８３の外形を避けるように一部６２２Ａ（図７）が傾斜している。
【００８５】
他方の対向面６２Ａ、６２Ｂは夫々、一方の保持部材６１における一方の対向面６１Ａ、６１Ｂと対向する面である。他方の対向面６２Ａは、Ｘ軸方向において、スプリング８５の圧接部８５５の上側（＋Ｚ）の端部及び支持部８５４と対向している。他方の対向面６２Ｂは、Ｘ軸方向において、スプリング８５の圧接部８５５の下側（−Ｚ）の端部及び支持部８５６と対向している。従って、例えば、圧接部８５５の他方の対向面６２Ａ、６２Ｂ側への変形は、圧接部８５５の上側の端部及び下側の端部が夫々、当該他方の対向面６２Ａ、６２Ｂによって規制されることとなる。
【００８６】
外周面６２４は、スプリング８５の巻回部８５２が沿うような形状を呈する。
【００８７】
爪６２３は、スプリング保持部材６に保持されているスプリング８５がスプリング保持部材６から外れるのを規制するための部材である。爪６２３は、外周面６２４の一部に設けられる。爪６２３は、他方の保持部材６２の手前側（＋Ｙ）の縁に設けられる。爪６２３は、フォーカス方向における略中央に設けられる。
【００８８】
面取り部６２５（図９）は、スプリング８５の曲げ部８５７が他方の保持部材６２の外形に略沿うように、他方の保持部材６２の上部（＋Ｚ）に設けられる。面取り部６２５は、曲げ部８５７の曲率に基づく第１曲率で曲げられている、外周面の一部である。面取り部６２５は、スプリング８５の巻き始めの位置に設けられている。
【００８９】
面取り部６２６は、スプリング８５の曲げ部８５８が他方の保持部材６２の外形に沿うように、他方の保持部材６２の下部（−Ｚ）に設けられる。面取り部６２６は、曲げ部８５８の曲率に基づく第２曲率で曲げられている、外周面の一部である。尚、第２曲率は、第１曲率と略同一であることとする。面取り部６２６は、スプリング８５の巻き始めの位置に設けられている。つまり、面取り部６２７は、一方の保持部材６１と他方の保持部材６２とが隣り合う方向（Ｘ軸）と交差する方向（Ｚ軸）において、面取り部６２５とは反対側に設けられている。
【００９０】
ここで、一方の保持部材６１及び他方の保持部材６２のうち、他方の保持部材６２に対してのみ面取り部６２５、６２６が設けられているので、一方の保持部材６１及び他方の保持部材６２は、スプリング保持部材６の略中央を通るＹＺ平面を基準に、非対称な形状となっている。
【００９１】
更に、他方の保持部材６２における他方の対向面６２Ａの面積は、面取り部６２５が設けられることにより、一方の保持部材６１における一方の対向面６１Ａの面積よりも小さくなっている。又、他方の保持部材６２における他方の対向面６２Ｂの面積は、面取り部６２６が設けられることにより、一方の保持部材６１における一方の対向面６１Ｂの面積よりも小さくなっている。つまり、面取り部６２５、６２６を他方の保持部材６２にのみ設けることにより、一方の保持部材６１における一方の対向面６１Ａの面積及び一方の対向面６１Ｂの面積を比較的大きくすることができることとなる。そして、例えば、スプリング８５の製造精度に応じて圧接部８５５の長さＤ４（図７）がばらついたとしても、圧接部８５５の上側の端部及び下側の端部を夫々、当該一方の対向面６１Ａ、６１Ｂに確実に当接させることができる。つまり、圧接部８５５の一方の対向面６１Ａ、６１Ｂ側への変形を、確実に規制できることとなる。
【００９２】
＝＝＝スプリング保持部材に対するスプリングの取付け＝＝＝
以下、図７、図８及び図１１を参照して、本実施形態におけるスプリング保持部材に対するスプリングの取付けについて説明する。図１１は、本実施形態におけるスプリングが取り付けられた状態のコリメートレンズホルダを示す斜視図である。
【００９３】
スプリング８５は、スプリング保持部材６の外周面に巻回されるように取り付けられる。スプリング８５は、直線部８５１、８５３、支持部８５４、８５６が隙間６５内に配設されるように取付けられる。つまり、スプリング８５は、直線部８５１の下側の端部が隙間６５に配設され、面取り部６２５（図９）を介して他方の保持部６２及び一方の保持部６１に共に巻回され、面取り部６２６を介して再度隙間６５に配設された後、圧接部８５５を露出させるように、スプリング保持部材６に取り付けられる。このとき、巻回部８５２は、タンジェンシャル方向（Ｙ軸）において爪６２３（図７）及び爪６１３（図８）と、ホルダ支持部材７４の手前側の面（＋Ｙ）との間で、付勢された状態になる。よって、スプリング８５は、スプリング保持部材６に対して巻回部８５２の不勢力に基づいて固定されることとなる。又、直線部８５１（図８）の下側の端部（−Ｚ）は、溝７４４内に収容されることとなる。ここで、タンジェンシャル方向における溝７４４の深さは、例えば、スプリング８５の製造ばらつきにより、タンジェンシャル方向における圧接部８５５から離れる側（−Ｙ）へ傾斜した直線部８５１の下側の端部を収容できる深さとされている。溝７４４の深さは、例えば、スプリング８５を形成する線材の径に相当する深さとされているものとする。
【００９４】
上述のように、スプリング保持部材６に対してスプリング８５が取り付けられたとき、圧接部８５５（図１１）の一部は、リードスクリュ８３（図５）の螺子溝８３Ａと対向するように隙間６５の外に露出した状態となる。そして、圧接部８５の上側の端部（＋Ｚ）は、一方の対向面６１Ａと他方の対向面６２Ａとの間に配置されることとなる。圧接部８５５の下側の端部（−Ｚ）は、一方の対向面６１Ｂと他方の対向面６２Ｂとの間に配置されることとなる。そして、支持部８５４が一方の保持部材６１側に傾斜しているので、圧接部８５５の上側の端部、下側の端部は夫々、例えば、一方の対向面６１Ａ、６１Ｂに当接した状態となる。尚、例えば、圧接部８５５の上側の端部、下側の端部は夫々、例えば、一方の対向面６１Ａ、６１Ｂに対して当接せずに、一方の対向面６１Ａ、６１Ｂの近傍に配置されることとしてもよい。
【００９５】
＝＝＝スプリングにおける支持部の傾斜＝＝＝
以下、図１２乃至図１４を参照して、本実施形態におけるスプリングの支持部の傾斜について説明する。
【００９６】
図１２は、本実施形態における移動装置の一部とコリメートレンズホルダの一部とを示す平面図である。尚、リードスクリュ８３の一部及びホルダ支持部材７４の一部は、説明の便宜上、省略されている。圧接部８５５は見えない状態となっているが、説明の便宜上、点線で示される。図１３は、本実施形態におけるリードスクリュとスプリングとを示す平面図である。尚、リードスクリュ８３の長手方向に対して直交する線Ｅ１が、説明の便宜上、点線で示されている。図１４は、本実施形態におけるリードスクリュの一部とスプリングの一部とを示す平面図である。尚、支持部８５４及び圧接部８５５は夫々、説明の便宜上、点線、実線で示されている。螺子溝８６Ｂは、リードスクリュ８３の螺子溝８３Ａにおける、圧接部８５５が圧接されている螺子溝を示すものとする。螺子溝８６Ａ、８６Ｃ、８６Ｄは、リードスクリュ８３の螺子溝８３Ａにおける、圧接部８５５が圧接されていない螺子溝を示すものとする。
【００９７】
支持部８５４は、＋Ｚ方向から−Ｚ方向に向かって見た際に、タンジェンシャル方向（Ｙ軸）において、螺子溝８３Ａと略平行となるように傾斜している。支持部８５４は、リードスクリュ８３の長手方向（Ｘ軸）における一方側（−Ｘ）から他方側（＋Ｘ）に向かって傾斜している。つまり、支持部８５４は、ホルダ支持部材７４からリードスクリュ８３側に向かう方向が、支持部８５４がリードスクリュ８３と直交する方向（Ｙ軸）から、ホームポジション側であるストッパ２１１側（＋Ｘ）に傾斜するように配置されている。
【００９８】
リードスクリュ８３と直交するＹ軸に対する支持部８５４の角度θ（図１３）（以下、「支持部８５４の傾斜角度θ」とも称する）は、コリメートレンズホルダ７のホルダ支持部材７４（図４）がストッパ２１１に当接したときに、傾斜面８３Ｄから付与される力に基づいて圧接部８５５（図１４）が螺子溝８６Ｂから他の螺子溝に移動しないような角度とされる。尚、圧接部８５５が他の螺子溝に移動するとは、例えば、圧接部８５５が圧接されている螺子溝８６Ｂから、螺子山８３Ｂ、８３Ｃを越えて、例えば他の螺子溝８６Ａ、８６Ｃ、８６Ｄに移動して、当該移動先の螺子溝に圧接されることを示すこととする。つまり、支持部８５４の傾斜角度θは、ホルダ支持部材７４がストッパ２１１に当接したときに、傾斜面８３Ｄから付与される力に基づいて、例えば圧接部８５５が螺子山８３Ｂを越えるようにホルダ支持部材７４側（−Ｙ）に移動しないような角度に設定される。支持部８５４の傾斜角度θは、例えば、実験等に基づいて定められる。支持部８５４の傾斜角度θは、例えば、略５度〜略７度とされることとしてもよい。
【００９９】
＝＝＝光ピックアップ装置の組み立て＝＝＝
以下、図３、図５、図８を参照して、本実施形態における光ピックアップ装置の組み立てについて説明する。
【０１００】
光ピックアップ装置１００の光学部品等が、ハウジング２に載置される。サブシャフト７２の両端が、軸受け２２２、軸受け２２１に対して例えば接着剤で固定される。
【０１０１】
コリメートレンズホルダ７のレンズ保持部材７３に、コリメートレンズ１６（図８）が取り付けられる。上述のように、スプリング保持部材６に対してスプリング８５が保持される。ホルダ支持部材７４の挿通孔７４１、７４３に対してメインシャフト７１（図５）が挿通される。その後、メインシャフト７１の両端が、軸受け２１１、２１２に対して例えば接着剤で固定される。よって、コリメートレンズホルダ７は、メインシャフト７１及びサブシャフト７２によって、コリメートレンズ１６の光軸方向（Ｘ軸）に沿って移動可能に支持されることとなる。
【０１０２】
スプリング保持部材６に保持されているスプリング８５の圧接部８５５が螺子溝８３Ａに圧接されるように、モータフレーム８２が例えばビス（不図示）等でハウジング２（図３）の底板２１に固定される。尚、リードスクリュ８３がメインシャフト７１及びサブシャフト７２に対して平行となるように、モータフレーム８２が固定されるものとする。
【０１０３】
＝＝＝コリメートレンズホルダの移動動作＝＝＝
以下、図３乃至図５、図１４を参照して、本実施形態におけるコリメートレンズホルダの移動動作について説明する。
【０１０４】
コリメートレンズホルダ７をホームポジションへ移動させる場合と、コリメートレンズホルダ７をホームポジションから離れた位置に移動させる場合とに分けて説明する。
【０１０５】
尚、ホームポジションは、例えば、コリメートレンズホルダ７の可動範囲における、対物レンズ１７１からの光学距離が最も短くなる位置であることとする。ホームポジションは、例えば、コリメートレンズホルダ７が一方側（−Ｘ）から他方側（＋Ｘ）に向かって移動したときに、ホルダ支持部材７４がストッパ２１１に当接してコリメートレンズホルダ７の移動が停止する位置である。
【０１０６】
＜コリメートレンズホルダ７をホームポジションへ移動させる場合＞
リードスクリュ８３をＡ２方向（図５）に回転させるパルス信号が、端子８１１乃至８１４を介して駆動モータ８３３に供給される。駆動モータ８３３は、当該パルス信号に基づいて、リードスクリュ８３がＡ２方向に回転する回転力を、リードスクリュ８３の一端に伝達する。リードスクリュ８３は、Ａ２方向に回転することとなる。尚、このとき、リードスクリュ８３が回転していることが、例えばモータドライバによって検出される。
【０１０７】
又、リードスクリュ８３のＡ２方向の回転によって、圧接部８５５（図１４）には、リードスクリュ８３の長手方向（Ｘ軸）におけるストッパ２１１側（＋Ｘ）への力が、傾斜面８３Ｄから伝達される。コリメートレンズホルダ７は、当該傾斜面８３Ｄから伝達される力に基づいて、一方側（−Ｘ）から他方側（＋Ｘ）に向かって移動することとなる。尚、圧接部８５５は、スプリング８５の支持部８５４等から付与されている弾性力によって傾斜面８３Ｄに圧接されているので、傾斜面８３Ｄからの力をコリメートレンズホルダ７に対して確実に伝達できることとなる。
【０１０８】
その後、コリメートレンズホルダ７のホルダ支持部材７４は、ストッパ２１１（図４）に当接してコリメートレンズホルダ７の移動がホームポジションで停止する。このとき、傾斜面８３Ｄ（図１４）が圧接部８５５に押し付けられて、リードスクリュ８３のＡ２方向への回転が停止することとなる。尚、上述したように、圧接部８５５が螺子溝８６Ｂから他の螺子溝に移動しないように支持部８５４が傾斜しているので、傾斜面８３Ｄは圧接部８５５に対して押し付けられて、リードスクリュ８３のＡ２方向への回転が停止することとなる。更に、圧接部８５５の一方の対向面６１Ａ、６１Ｂ側への変形が規制されるので、傾斜面８３Ｄは圧接部８５５に対して確実に押し付けられて、リードスクリュ８３のＡ２方向への回転が確実に停止することとなる。尚、このとき、リードスクリュ８３が回転していないことが、例えばモータドライバによって検出される。
【０１０９】
＜コリメートレンズホルダ７をホームポジションから離れた位置に移動させる場合＞
上述したように、コリメートレンズホルダ７がホームポジションに移動した後、
リードスクリュ８３をＡ１方向（図５）に回転させるパルス信号が、端子８１１乃至８１４を介して駆動モータ８３３に供給される。駆動モータ８３３は、当該パルス信号に基づいて、リードスクリュ８３がＡ１方向に回転する回転力を、リードスクリュ８３の一端に伝達する。リードスクリュ８３は、Ａ１方向に回転することとなる。尚、このとき、リードスクリュ８３が回転していることが、例えばモータドライバによって検出される。
【０１１０】
又、リードスクリュ８３のＡ１方向の回転によって、圧接部８５５（図１４）には、リードスクリュ８３の長手方向（Ｘ軸）におけるストッパ２１１側とは反対側（−Ｘ）への力が、傾斜面８３Ｃから伝達される。コリメートレンズホルダ７は、当該傾斜面８３Ｃから伝達される力に基づいて、他方側から一方側に向かって移動することとなる。
【０１１１】
[第２実施形態]
第１実施形態においては、スプリング８５の圧接部８５５が他の螺子溝に移動するのを規制するために、スプリング８５の支持部８５４を傾斜させる構成について説明したが、これに限定されるものではない。例えば、スプリング８５Ａ（線材、バネ部材）（図１６）の圧接部８６５とスプリング保持部材６Ａとの間に規制片９を挿入して、圧接部８６５が他の螺子溝に移動するのを規制してもよい。
【０１１２】
＝＝＝光ピックアップ装置＝＝＝
光ピックアップ装置１００Ａ（図３）は、コリメートレンズホルダ７Ａ（ホルダ）、移動装置８Ａを有する。移動装置８Ａ（図１５）は、スプリング８５Ａを有する。尚、支持部８６４の傾斜角度以外のスプリング８５Ａの構成は、スプリング８５の構成と同様であるので、その説明は省略する。スプリング８５Ａにおける支持部８６４の傾斜角度は、例えば、略０度とされているものとする。尚、支持部８６４、８６６、圧接部８６５が圧接片に相当する。尚、支持部８６４、８６６、圧接部８６５が夫々、第１辺、第３辺、第２辺に相当する。
【０１１３】
＝＝＝コリメートレンズホルダ＝＝＝
以下、図１５及び図１６を参照して、本実施形態におけるコリメートレンズホルダについて説明する。図１５は、本実施形態におけるコリメートレンズホルダと移動装置とを示す平面図である。尚、図６の構成と同様な構成については、同一の符号を付し、その説明は省略する。図１６は、本実施形態におけるコリメートレンズホルダと規制片とを示す分解斜視図である。尚、図７の構成と同様な構成については、同一の符号を付し、その説明は省略する。
【０１１４】
コリメートレンズホルダ７Ａは、スプリング保持部材６Ａを有する。スプリング保持部材６Ａは、突片６２８（図１６）を有する。
【０１１５】
突片６２８は、スプリング保持部材６Ａに対する規制片９（規制部材）の位置決めを行うための樹脂製の部材である。突片６２８は、スプリング保持部材６Ａと一体的に形成される。突片６２８は、規制片９の切り欠き９２及び切り欠き９３と嵌り合うような形状を呈する。突片６２８は、例えば、他方の保持部材６２におけるリードスクリュ８３と対向する対向面６２７に設けられる。尚、例えば、突片６２８は、一方の保持部材６１におけるリードスクリュ８３と対向する対向面６１７に設けられることとしてもよい。
【０１１６】
＝＝＝規制片＝＝＝
以下、図１６及び図１７を参照して、本実施形態における規制片について説明する。図１７は、本実施形態における規制片及びスプリングが固定された状態のコリメートレンズホルダを示す斜視図である。
【０１１７】
規制片９は、スプリング８５Ａの圧接部８６５の移動を規制するための平板形状の部材である。規制片９は、タンジェンシャル方向（Ｙ軸）においてリードスクリュ８３側（＋Ｙ）からホルダ支持部材７４側（−Ｙ）への圧接部８６５の移動を規制する。規制片９は、リードスクリュ８３が延びる方向（Ｘ軸）に沿って延びている。規制片９は、切り欠き９２、９３を有する。
【０１１８】
切り欠き９２は、突片６２８と嵌りあうように、規制片９における−Ｘ側の端部に設けられる。切り欠き９２は、スプリング保持部材６Ａに対する規制片９の位置決めに用いられる。
【０１１９】
切り欠き９３は、切り欠き９２と同様な形状であり、規制片９における＋Ｘ側の端部に設けられる。切り欠き９３は、切り欠き９２と同様に、スプリング保持部材６Ａに対する規制片９の位置決めに用いられる。
【０１２０】
規制片９は、スプリング保持部材６Ａに対してスプリング８５Ａが固定された後、スプリング保持部材６Ａに対して固定される。例えば、スプリング保持部材６Ａに対してスプリング８５Ａが固定された後、スプリング保持部材６Ａの対向面６１７、６２７に接着剤が塗布される。その後、対向面６１７、６２７と規制片９の対向面９４とが対向するように、スプリング保持部材６Ａに対して規制片９が位置決めされる（図１７）。そして、規制片９が、スプリング保持部材６Ａに対して接着剤で固定されることとなる。
【０１２１】
＝＝＝規制片の厚さ＝＝＝
以下、図１８乃至図２０を参照して、本実施形態における規制片の厚さについて説明する。図１８は、本実施形態におけるコリメートレンズホルダと移動装置とを示す断面図である。尚、図１８では、図１５のＺ３−Ｚ４断面から−Ｘ方向へ見たコリメートレンズホルダ７Ａ及び移動装置８Ａが示されている。図１９は、本実施形態におけるコリメートレンズホルダの一部と移動装置の一部とを示す断面図である。尚、図１９は、図１８のＺ５−Ｚ６断面から−Ｚ方向へ見たコリメートレンズホルダ７Ａ及び移動装置８Ａが示されている。図２０は、本実施形態におけるリードスクリュの一部とスプリングの一部と規制片とを示す平面図である。尚、図１４の構成と同様な構成については、同一の符号を付し、その説明は省略する。支持部８６４及び圧接部８６５は夫々、説明の便宜上、点線、実線で示されている。
【０１２２】
規制片９の厚さは、コリメートレンズホルダ７Ａ及び移動装置８Ａがハウジング２（図３）に載置されたときの、リードスクリュ８３との位置関係に応じて定められている。規制片９の厚さは、リードスクリュ８３に対して直交する方向（Ｙ軸）におけるリードスクリュ８３の螺子山と規制片９の対向面９１との間の距離Ｄ３（図１９）がスプリング８５Ａを形成する線材（圧接部８６５）の直径よりも短くなるように設定される。
【０１２３】
ここで、規制片９は、リードスクリュ８３に対して直交する方向において、螺子溝８６Ｂ（図２０）に圧接されている圧接部８６５と対向している。規制片９は、リードスクリュ８３に対して直交する方向における、リードスクリュ８３から離れる側（−Ｙ）への圧接部８６５の移動を規制している。更に、上述したように、距離Ｄ３が圧接部８６５の直径よりも短くなっている。よって、螺子溝８６Ｂに圧接されている圧接部８６５が螺子山８３Ｂ、８３Ｃを越えて、例えば他の螺子溝８６Ａ、８６Ｃ、８６Ｄに移動するのが、規制片９によって規制されることとなる。
【０１２４】
＝＝＝コリメートレンズホルダの移動動作＝＝＝
以下、図３、図４及び図２０を参照して、本実施形態におけるコリメートレンズホルダの移動動作について説明する。
【０１２５】
コリメートレンズホルダ７Ａをホームポジションへ移動させる場合と、コリメートレンズホルダ７Ａをホームポジションから離れた位置に移動させる場合とに分けて説明する。
【０１２６】
＜コリメートレンズホルダ７Ａをホームポジションへ移動させる場合＞
リードスクリュ８３が、Ａ２（図５）方向に回転される。リードスクリュ８３のＡ２方向の回転によって、圧接部８６５（図２０）には、リードスクリュ８３の長手方向（Ｘ軸）におけるストッパ２１１側（＋Ｘ）への力が、傾斜面８３Ｄから伝達される。コリメートレンズホルダ７Ａは、当該傾斜面８３Ｄから伝達される力に基づいて、一方側（−Ｘ）から他方側（＋Ｘ）に向かって移動することとなる。
【０１２７】
その後、コリメートレンズホルダ７Ａのホルダ支持部材７４は、ストッパ２１１に当接してコリメートレンズホルダ７Ａの移動がホームポジションで停止する。このとき、傾斜面８３Ｄ（図２０）が圧接部８６５に押し付けられて、リードスクリュ８３のＡ２方向への回転が停止することとなる。尚、上述したように、圧接部８６５が螺子溝８６Ｂから他の螺子溝に移動しないように、規制片９によって圧接部８６５の移動が規制されるので、傾斜面８３Ｄは圧接部８６５に対して確実に押し付けられて、リードスクリュ８３のＡ２方向への回転が停止することとなる。
【０１２８】
＜コリメートレンズホルダ７Ａをホームポジションから離れた位置に移動させる場合＞
上述したように、コリメートレンズホルダ７Ａがホームポジションに移動した後、リードスクリュ８３はＡ１（図５）方向に回転される。リードスクリュ８３のＡ１方向の回転によって、圧接部８６５（図２０）には、リードスクリュ８３の長手方向（Ｘ軸）におけるストッパ２１１側とは反対側（−Ｘ）への力が、傾斜面８３Ｃから伝達される。コリメートレンズホルダ７Ａは、当該傾斜面８３Ｃから伝達される力に基づいて、他方側から一方側に向かって移動することとなる。
【０１２９】
[第３実施形態]
第１実施形態においては、スプリング８５の圧接部８５５が他の螺子溝に移動するのを規制するために、スプリング８５の支持部８５４を傾斜させる構成について説明したが、これに限定されるものではない。例えば、支持部８５４の傾斜角度θ（図１３）を略０度とした状態で、圧接部８５５の一方の対向面６１Ａ、６１Ｂ側への変形を一方の対向面６１Ａ、６１Ｂによって規制して、圧接部８５５が他の螺子溝に移動するのを規制することとしてもよい。
【０１３０】
＝＝＝光ピックアップ装置＝＝＝
光ピックアップ装置１００Ｂ（図３）は、コリメートレンズホルダ７、移動装置８Ｂを有する。
【０１３１】
＝＝＝移動装置＝＝＝
以下、図２１及び図２２を参照して、本実施形態における移動装置について説明する。
【０１３２】
図２１は、本実施形態における移動装置の一部とコリメートレンズホルダの一部とを示す平面図である。尚、リードスクリュ８３の一部及びホルダ支持部材７４の一部は、説明の便宜上、省略されている。圧接部８７５は見えない状態となっているが、説明の便宜上、点線で示される。図２２は、本実施形態におけるリードスクリュとスプリングとを示す平面図である。
【０１３３】
移動装置８Ｂは、スプリング８５Ｂ（線材、バネ部材）を有する。尚、支持部８７４の傾斜角度以外のスプリング８５Ｂの構成は、スプリング８５の構成と同様であるので、その説明は省略する。又、スプリング８５（図７）の支持部８５６に対応し、スプリング８５Ｂにおける圧接部８７５（図２１）の下側の端部（−Ｚ）から奥側（−Ｙ）へ向かって延在する支持部を、他方の支持部と称することとする。更に、スプリング８５の直線部８５１に対応し、スプリング保持部材６の隙間６５内に配設されるスプリング８５Ｂの直線部を、スプリング８５Ｂの直線部と称することとする。尚、支持部８７４、他方の支持部、圧接部８７５が圧接片に相当する。尚、支持部８７４、他方の支持部、圧接部８７５が夫々、第１辺、第３辺、第２辺に相当する。
【０１３４】
スプリング８５Ｂの支持部８７４は、例えば支持部８７４とリードスクリュ８３とを上側（＋Ｚ）から下側へ向かって見たときにリードスクリュ８３に対して直角となるように配置されている。
【０１３５】
＝＝＝コリメートレンズホルダの移動動作＝＝＝
以下、図３、図２３及び図２４を参照して、本実施形態におけるコリメートレンズホルダの移動動作について説明する。
【０１３６】
図２３は、本実施形態におけるコリメートレンズホルダがホームポジション側に移動するときのリードスクリュの一部とスプリングの一部とスプリング保持部材の一部とを示す平面図である。図２４は、本実施形態におけるコリメートレンズホルダがホームポジション側とは反対側に移動するときのリードスクリュの一部とスプリングの一部とスプリング保持部材の一部とを示す平面図である。尚、図２３及び図２４では、図１４の構成と同様な構成については、同一の符号を付し、その説明は省略する。又、図２３及び図２４では、支持部８６４及び圧接部８６５は夫々、説明の便宜上、点線、実線で示されている。更に、図２３及び図２４では、一方の保持部材６１及び他方の保持部材６２は、説明の便宜上、点線で示されている。
【０１３７】
コリメートレンズホルダ７をホームポジションへ移動させる場合と、コリメートレンズホルダ７ホームポジションから離れた位置に移動させる場合とに分けて説明する。
【０１３８】
＜コリメートレンズホルダ７をホームポジションへ移動させる場合＞
リードスクリュ８３が、Ａ２（図５）方向に回転される。リードスクリュ８３のＡ２方向の回転によって、圧接部８７５（図２３）には、リードスクリュ８３の長手方向（Ｘ軸）におけるストッパ２１１（図４）側（＋Ｘ）への力が、傾斜面８３Ｄから伝達される。圧接部８７５は、傾斜面８３Ｄから伝達される力に基づいて、一方側（−Ｘ）から他方側（＋Ｘ）へ移動する。このとき、支持部８７４は、支持部８７４におけるリードスクリュ８３側（＋Ｙ）の先端が他方側を向くように傾斜することとなる（図２３）。
【０１３９】
その後、圧接部８７５の上側の端部（＋Ｚ）、圧接部８７５の下側の端部（−Ｚ）は夫々、一方の保持部材６１の一方の対向面６１Ａ、６１Ｂに当接することとなる。このとき、支持部８７４の奥側の端部、圧接部８７５の下側の端部から奥側へ向かって延びる他方の支持部における奥側の端部が夫々、他方の対向面６２Ａ、６２Ｂに当接する。尚、隙間６５の幅Ｄ５（図９）は、例えば、上述のように支持部８７４が傾斜したときに、圧接部８７５、支持部８７４、他方の支持部が、一方の保持部材６１、他方の保持部材６２に確実に当接するように、比較的短くされているものとする。そして、圧接部８７５の一方の対向面６１Ａ、６１Ｂ側への変形が、規制されることとなる。尚、圧接部８７５の一方の対向面６１Ａ、６１Ｂ側への変形は、圧接部８５５の一方の対向面６１Ａ、６１Ｂ側への変形と同様であるので、その説明は省略する。そして、コリメートレンズホルダ７は、当該傾斜面８３Ｄから伝達される力に基づいて、一方側から他方側に向かって移動することとなる。
【０１４０】
その後、コリメートレンズホルダ７のホルダ支持部材７４は、ストッパ２１１（図４）に当接してコリメートレンズホルダ７の移動がホームポジションで停止する。このとき、傾斜面８３Ｄが圧接部８７５に押し付けられて、リードスクリュ８３のＡ２方向への回転が停止することとなる。尚、圧接部８７５が螺子溝８６Ｂから他の螺子溝に移動しないように、圧接部８７５の一方の対向面６１Ａ、６１Ｂ側への変形が規制されているので、傾斜面８３Ｄは圧接部８７５に対して確実に押し付けられて、リードスクリュ８３のＡ２方向への回転が停止することとなる。
【０１４１】
＜コリメートレンズホルダ７をホームポジションから離れた位置に移動させる場合＞
上述したように、コリメートレンズホルダ７がホームポジションに移動した後、リードスクリュ８３はＡ１（図５）方向に回転される。リードスクリュ８３のＡ１方向の回転によって、圧接部８７５（図２４）には、リードスクリュ８３の長手方向におけるストッパ２１１側とは反対側（−Ｘ）への力が、傾斜面８３Ｅから伝達される。圧接部８７５は、傾斜面８３Ｅから伝達される力に基づいて、他方側から一方側へ移動する。このとき、支持部８７４は、支持部８７４におけるリードスクリュ８３側の先端が一方側を向くように傾斜することとなる（図２４）。
【０１４２】
その後、圧接部８７５の上側の端部、圧接部８７５の下側の端部は夫々、他方の保持部材６２の他方の対向面６２Ａ、６２Ｂに当接することとなる。このとき、支持部８７４の奥側の端部、圧接部８７５の下側の端部から奥側へ向かって延びる他方の支持部における奥側の端部が夫々、他方の対向面６１Ａ、６１Ｂに当接する。そして、圧接部８７５の他方の対向面６２Ａ、６２Ｂ側への変形が、規制されることとなる。尚、圧接部８７５の他方の対向面６２Ａ、６２Ｂ側への変形は、圧接部８５５の他方の対向面６２Ａ、６２Ｂ側への変形と同様であるので、その説明は省略する。そして、コリメートレンズホルダ７は、当該傾斜面８３Ｅから伝達される力に基づいて、他方側から一方側に向かって移動することとなる。
【０１４３】
前述したように、光ピックアップ装置１００Ｂは、コリメートレンズ１６、コリメートレンズホルダ７、メインシャフト７１、ストッパ２１１、リードスクリュ８３、スプリング８５Ｂ、一方の保持部材６１を有する。コリメートレンズ１６は、レーザ光源１１から出射されたレーザ光を光ディスク５の信号記録面に案内する。コリメートレンズホルダ７は、コリメートレンズ１６を保持する。メインシャフト７１は、コリメートレンズホルダ７を移動可能に支持する。ストッパ２１１は、コリメートレンズホルダ７の移動を停止させるように、コリメートレンズホルダ７と当接する。リードスクリュ８３は、駆動モータ８３３によって回転される。スプリング８５Ｂは、コリメートレンズホルダ７のスプリング保持部材６に固定される。スプリング８５Ｂは、支持部８７４、圧接部８７５、他方の支持部を有する。圧接部８７５は、リードスクリュ８３の回転力に基づいてコリメートレンズホルダ７が移動するように、螺子溝８６Ｂ（図２３）に圧接される。一方の保持部材６１における一方の突出部６１１、６１２（図７）には、コリメートレンズホルダ７のホルダ支持部材７４がストッパ２２１に当接したときに、圧接部８７５の上側の端部及び下側の端部が当接する。そして、圧接部８７５の一方の対向面６１Ａ、６１Ｂ側への変形が規制されることとなる。以上の構成により、ホルダ支持部材７４がストッパ２１１に当接してコリメートレンズホルダ７の移動がホームポジションで停止したとき、圧接部８７５の一方の対向面６１Ａ、６１Ｂ側への変形が規制されることとなる。よって、螺子溝８６Ｂから他の螺子溝への圧接部８７５の移動が規制されることとなる。従って、傾斜面８３Ｄ（図２３）が圧接部８７５に確実に押し付けられて、リードスクリュ８３の回転が停止することとなる。よって、例えば、リードスクリュ８３が回転していないことを検出して、コリメートレンズホルダ７のホームポジションへの移動を検出することができる。従って、コリメートレンズホルダ７のホームポジションへの移動を検出可能な光ピックアップ装置１００Ｂを提供することができる。又、リードスクリュ８３の回転力をコリメートホルダ７に伝達するための、例えば、ナット部材（不図示）、当該ナット部材を付勢するためバネ（不図示）等が不要となる。従って、光ピックアップ装置１００Ｂの部品点数を減らしたり、光ピックアップ装置１００Ｂの製造工程を減らしたりして、光ピックアップ装置１００Ｂの製造コストを低減させることができる。
【０１４４】
又、コリメートレンズホルダ７は、コリメートレンズホルダ７側からリードスクリュ８３側に向かって延在するスプリング保持部材６を有する。スプリング８５Ｂは、コリメートレンズホルダ７側からリードスクリュ８３側に向かう弾性力が圧接８７５に付与されるように、スプリング保持部材６の外周面に巻回されるバネ部材である。一方の突出部６１１、６１２は、リードスクリュ８３の外形の一部をリードスクリュ８３と交差する方向の両側から覆うように、一方の保持部材６１の先端に一対設けられている。以上の構成により、圧接部８７５の一方の対向面６１Ａ、６１Ｂ側への変形を、リードスクリュ８３の近傍で確実に規制することができる。よって、ホルダ支持部材７４がストッパ２１１に当接したときに、リードスクリュ８３の回転を確実に停止させることができる。従って、コリメートレンズホルダ７のホームポジションへの移動を検出可能な光ピックアップ装置１００Ｂを提供することができる。
【０１４５】
又、支持部８７４は、コリメートレンズホルダ７側からリードスクリュ８３側に向かって延在する。圧接部８７５は、螺子溝８３Ａと対向するように支持部８７４から曲がり、螺子溝８３Ａに圧接される。他方の支持部は、支持部８７４と対向するように圧接部８７５から曲がり、リードスクリュ８３側からコリメートレンズホルダ７側に向かって延在する。以上の構成により、スプリング８５Ｂの強度を向上させて、ホルダ支持部材７４がストッパ２１１に当接したときに、リードスクリュ８３の回転を確実に停止させることができる。従って、コリメートレンズホルダ７のホームポジションへの移動を確実に検出可能な光ピックアップ装置１００Ｂを提供することができる。
【０１４６】
又、スプリング保持部材６は、一方の保持部材６１と、他方の保持部材６２と、を有する。一方の保持部材６１は、他方の保持部材６２との間に隙間６５が形成されるように、コリメートレンズホルダ７が移動する方向において他方の保持部材６２と対向する。スプリング８５Ｂは、一端が隙間６５に配設され、他方の保持部材６２及び一方の保持部材６１に共に巻回され、再度隙間６５に配設された後、螺子溝８３Ａと対向するように圧接部８７５を露出させる形状を呈している。支持部８７４、圧接部８７５、他方の支持部は、コリメートレンズホルダ７のホルダ支持部材７４がストッパ２１１に当接したときに、圧接部８７５の上側の端部及び下側の端部が夫々、一方の突出部６１１、６１２に当接し、且つ、支持部８７４及び他方の支持部の奥側の端部夫々が、他方の保持部材６２における他方の対向面６２Ａ、６２Ｂに当接するように配置される。以上の構成により、圧接部８７５、支持部８７４、他方の支持部を一方の保持部材６１及び他方の保持部材６２で挟むことにより、圧接部８７５の一方の対向面６１Ａ、６１Ｂ側への変形を確実に規制することができる。よって、ホルダ支持部材７４がストッパ２１１に当接したときに、リードスクリュ８３の回転を確実に停止させることができる。従って、コリメートレンズホルダ７のホームポジションへの移動を確実に検出可能な光ピックアップ装置１００Ｂを提供することができる。
【０１４７】
尚、第１実施形態乃至第３実施形態は、本発明の理解を容易にするためのものであり、本発明を限定して解釈するためのものではない。本発明は、その趣旨を逸脱することなく、変更、改良され得るとともに、本発明にはその等価物も含まれる。
【０１４８】
第２実施形態においては、規制片９をスプリング保持部材６Ａに対して例えば接着剤を用いて固定する構成について説明したが、これに限られるものではない。例えば、突片６２８の熱かしめによって、規制片９をスプリング保持部材６Ａに固定することとしてもよい。突片６２８の熱かしめとは、例えば、熱によって潰された突片６２８の先端で、規制片９における切り欠き９２の周囲の一部をスプリング保持部材６Ａに対して押し付けて、当該規制片９をスプリング保持部材６Ａに対して固定することを言う。尚、例えば、当該突片６２８の熱かしめと、接着剤の双方を用いて、スプリング保持部材６Ａに対してスプリング８５Ａを固定することとしてもよい。この場合、スプリング保持部材６Ａに対する規制片９の固定が確実に行われるために、コリメートレンズホルダ７Ａがホームポジションに移動したときのリードスクリュ８３の回転を確実に停止させることができる。従って、コリメートレンズホルダ７Ａのホームポジションへの移動を確実に検出することができる。
【０１４９】
又、第１実施形態においては、ホルダ支持部材７４（図４）がストッパ２１１に当接したときのコリメートレンズ１６の位置を、ホームポジションとしたが、これに限定されるものではない。例えば、ホルダ支持部材７４がストッパ２１２に当接したときのコリメートレンズ１６の位置を、ホームポジションとしてもよい。この場合、例えば、＋Ｘ側から−Ｘ側に向かって見てリードスクリュ８３（図１４）の外周面に沿って時計回りに回転したときに−Ｘ側に向かう螺旋状の螺子溝８３Ａとは逆の、＋Ｘ側から−Ｘ側に向かって見てリードスクリュ８３の外周面に沿って時計回りに回転したときに＋Ｘ側に向かう螺旋状の螺子溝を有するリードスクリュ（以下、「他のリードスクリュ」と称する）を設けることとする。更に、支持部８５４は、＋Ｚ方向から−Ｚ方向に向かって見た際に、他のリードスクリュの螺子溝と略平行となるようにスプリング８５を形成することとする。以上の構成により、例えば、ホルダ支持部材７４がストッパ２１２に当接したときに、他のリードスクリュの回転が停止するので、コリメートレンズホルダ７のホームポジションへの移動を確実に検出することができる。
【０１５０】
又、第１実施形態においては、ストッパ２１１（図４）が、例えば、メインシャフト７１の下側に設けられる構成について説明したが、これに限定されるもではない。例えば、コリメートレンズホルダ７がホームポジションへ移動したときに、ホルダ支持部材７４と当接するように、ストッパ２１１が、メインシャフト７１における所定の位置に設けられることとしてもよい。又、例えば、コリメートレンズホルダ７の一部である軸受７３１（図５）と当接するように、ストッパ２１１が、サブシャフト７２の所定の位置に設けられることとしてもよい。つまり、ストッパ２１１は、コリメートレンズホルダ７がホームポジションへ移動したときに、コリメートレンズホルダ７の移動が停止するように、コリメートレンズホルダ７の一部に当接する位置に設けられることとすればよい。
【０１５１】
又、第１実施形態においては、＋Ｚ方向から−Ｚ方向に向かって見た際に（図１３）、支持部８５４と螺子溝８３Ａとが略平行となるようにスプリング８５を形成する構成について説明したが、これに限定されるものではない。例えば、＋Ｚ方向から−Ｚ方向に向かって見た際に（図１３）、支持部８５４と螺子溝８３Ａとが略平行となるように、スプリング保持部材６を傾斜させたコリメートレンズホルダ７を形成することとしてもよい。
【０１５２】
又、第１実施形態においては、移動装置８（図５）がモータフレーム８２を有する構成について説明したが、これに限定されるもではない。例えば、移動装置８は、モータフレーム８２を有さないこととしてもよい。この場合、例えば、リードスクリュ８３がメインシャフト７１と略平行となるように、リードスクリュ８３及びケース８１が、ハウジング２に対して直接位置決めされることしてもよい。
【０１５３】
又、第１実施形態においては、支持部８５４、８５６（図７）が夫々、上側、下側に設けられるように曲げられたスプリング８５を、スプリング保持部材６に取り付ける構成について説明したが、これに限定されるもではない。例えば、巻回部８５２の略中心を通り、且つ、スプリング保持部材６が突出する方向（Ｙ軸）に沿った軸を中心に、スプリング８５を１８０度回転させたような形状となるように曲げられたスプリング（以下、「他のスプリング」と称する）を、スプリング保持部材６に取り付けることとしてもよい。この場合、支持部８５４に対応する他のスプリングの支持部が、例えば、図１３における支持部８５４と同様に傾斜するように曲げられることとする。更に、例えば、巻回部８５２（図７）の略中心を通り、且つ、スプリング保持部材６が突出する方向（Ｙ軸）に沿った軸を中心に、スプリング保持部材６を１８０度回転させたような形状を呈するスプリング保持部材（以下、「他のスプリング保持部材」と称する）を、ホルダ支持部材７４に設けて、他のスプリング保持部材に対して、当該他のスプリングが取り付けられることとしてもよい。
【０１５４】
又、スプリング８５の構成として、例えば、直線部８５１を含まないこととしてもよい。
【０１５５】
又、サブシャフト７２は、例えば、金型等を用いて、ハウジング２と一体的に形成されることとしてもよい。
【符号の説明】
【０１５６】
５                光ディスク
６、６Ａ          スプリング保持部材
７、７Ａ          コリメートレンズホルダ
８、８Ａ、８Ｂ    移動装置
１１              レーザ光源
１６              コリメートレンズ
６１              一方の保持部材
６１Ａ、６１Ｂ    一方の対向面
６２              他方の保持部材
６２Ａ、６２Ｂ    他方の対向面
６５              隙間
７１              メインシャフト
８３Ａ、８６Ａ、８６Ｂ、８６Ｃ、８６Ｄ  螺子溝
８３Ｄ、８３Ｅ    傾斜面
８５、８５Ａ、８５Ｂ  スプリング
１００、１００Ａ、１００Ｂ  光ピックアップ装置
２１１、２１２    ストッパ
６１１、６１２    一方の突出部
６１４、６２４    外周面
６２１、６２２    他方の突出部
８３３            駆動モータ
８５４、８５６、８６４、８６６、８７４  支持部
８５５、８６５、８７５  圧接部
【図１】
2014059935.tif 000003
【図２】
2014059935.tif 000004
【図３】
2014059935.tif 000005
【図４】
2014059935.tif 000006
【図５】
2014059935.tif 000007
【図６】
2014059935.tif 000008
【図７】
2014059935.tif 000009
【図８】
2014059935.tif 000010
【図９】
2014059935.tif 000011
【図１０】
2014059935.tif 000012
【図１１】
2014059935.tif 000013
【図１２】
2014059935.tif 000014
【図１３】
2014059935.tif 000015
【図１４】
2014059935.tif 000016
【図１５】
2014059935.tif 000017
【図１６】
2014059935.tif 000018
【図１７】
2014059935.tif 000019
【図１８】
2014059935.tif 000020
【図１９】
2014059935.tif 000021
【図２０】
2014059935.tif 000022
【図２１】
2014059935.tif 000023
【図２２】
2014059935.tif 000024
【図２３】
2014059935.tif 000025
【図２４】
2014059935.tif 000026